(57)【要約】  【課題】複雑な機構を必要とせず、購入者に商品を取り出す位置を知らせることができる自動販売機を提供する。  【解決手段】選択された商品をコラム１２より払い出す搬出手段１３と、搬出手段１３により各庫内から搬出される商品の取り出し位置を表示する取り出し位置表示手段１１と、各コラムがどの庫内にあるかを設定する庫内設定手段１８と、庫内設定手段により設定された庫内設定を記憶する庫内設定記憶手段１９が設けられており、演算制御部２４ａは搬出手段１３によりコラム１２から商品を払い出す際、庫内設定記憶手段１９により搬出する商品のコラム１３がどの庫内に設定されているか判定し、判定された庫内に対応した取り出し位置表示手段１１のみ所定時間表示させることで、購入者に商品の取り出し位置を容易に知らせることができる。【選択図】図３
2006285431.tif 000002
【特許請求の範囲】
【請求項１】
選択された商品をコラムより払い出す搬出手段と、前記搬出手段により各庫内から搬出される商品の取り出し位置を表示する取り出し位置表示手段と、各コラムがどの庫内にあるかを設定する庫内設定手段と、前記庫内設定手段により設定された庫内設定を記憶する庫内設定記憶手段とからなる自動販売機において、前記搬出手段によりコラムから商品を払い出す際、前記庫内設定記憶手段により搬出する商品のコラムがどの庫内に設定されているか判定し、判定された庫内に対応した前記取り出し位置表示手段のみ所定時間表示させることを特徴とする自動販売機。
【請求項２】
前記取り出し位置表示手段により表示させる時間を設定することができる表示時間設定手段を備え、前記取り出し位置表示手段が表示する時間を自由に設定することができることを特徴とする請求項１に記載の自動販売機。
【請求項３】
取り出し口扉の開閉を検知する扉開閉検知手段を備え、前記取り出し位置表示手段により表示している時間内に、前記扉開閉検知手段により取り出し口扉の開閉を検知することで、前記取り出し位置表示手段による取り出し位置の表示を終了することを特徴とする請求項１または２に記載の自動販売機。
【請求項４】
前記取り出し位置表示手段により表示している取り出し位置を記憶する表示位置記憶手段を備え、前記搬出手段により商品を払い出した後に、前記取り出し位置表示手段により取り出し位置を表示している間に、新たな搬出があった場合に、前記表示位置記憶手段に、前記取り出し位置表示手段により表示している取り出し位置を記憶し、新たに搬出を行う商品の取り出し位置を判定し、前記表示位置記憶手段により記憶している取り出し位置と新たな取り出し位置を同時に前記取り出し位置表示手段により表示を行うことを特徴とする請求項１から３のいずれか１項に記載の自動販売機。
【請求項５】
前記搬出手段により商品を払い出し、前記取り出し位置表示手段により取り出し位置の表示を終了する際に、前記表示位置記憶手段に前記取り出し位置表示手段により表示している取り出し位置を記憶し、前記扉開閉検知手段により再度取り出し口扉の開が検知された場合に、前記表示位置記憶手段により記憶している取り出し位置を前記取り出し位置表示手段により表示を行うことを特徴とする請求項４に記載の自動販売機。
【発明の詳細な説明】
【技術分野】
【０００１】
本発明は、購入者に商品の取り出し位置を知らせる自動販売機に関するものである。
【背景技術】
【０００２】
従来より、取り出し口が広幅に構成されたり、取り出し口が複数設けられたりしている自動販売機としては、商品が販売されて、取り出し口に商品が払い出された際に、商品がどこに払いだされたかが見え難いため、取り出し口全体を照明で照らしているものがあった。しかしながら、取り出し口全体を見回して商品を探さねばならず、手間がかかるという課題があった。
【０００３】
この課題を解決した自動販売機が参考文献１などに記載されている。そして、特許文献１の自動販売機では、商品通過用開口部を開閉する通過用開口部扉を、少なくともその一部が透光性を有するように構成し、取り出し部に払い出された商品を通過用開口部扉を通して照らす光源を、内箱内における各商品通過用開口部に臨む箇所に配設することにより、取り出し部における商品が払い出された箇所が点滅されたような感じで照明されて、商品を見つけ易くしている。
【０００４】
また、光源を搬送コンベアの駆動源と並列に接続し、払い出される商品が収納されている庫内に対応する搬送コンベアの駆動タイミングと同期して光源が点灯するようにすることにより、払い出される商品通過用開口部に対応する光源だけが点灯されるため、取り出し口における商品が払い出される箇所だけが照明されて、さらに商品を見つけ易くしている。
【特許文献１】特開２００３−１８７３０８号公報
【発明の開示】
【発明が解決しようとする課題】
【０００５】
しかしながら、特許文献１などの自動販売機では、搬送コンベアなどの複雑な機構が必要になってしまうことに加え、製造コストが上昇してしまう。
【０００６】
そこで、本発明は、搬送コンベアなどの複雑な機構を必要とせずに表示手段を設けるだけで、購入者に商品の取り出し位置を知らせることができる自動販売機を提供する。
【課題を解決するための手段】
【０００７】
前記従来の課題を解決するために、本発明の自動販売機は、搬出する商品のコラムがどの庫内にあるかを判定することにより、判定された庫内に応じた表示のみ表示することにより、購入者に商品の取り出し位置を知らせるものである。
【発明の効果】
【０００８】
本発明の自動販売機は、複雑な機構を必要とせずに、購入者に商品の取り出し位置を知らせることができる。
【発明を実施するための最良の形態】
【０００９】
請求項１に記載の発明は、選択された商品をコラムより払い出す搬出手段と、前記搬出手段により各庫内から搬出される商品の取り出し位置を表示する取り出し位置表示手段と、各コラムがどの庫内にあるかを設定する庫内設定手段と、前記庫内設定手段により設定された庫内設定を記憶する庫内設定記憶手段が設けられており、前記庫内設定記憶手段により搬出する商品のコラムがどの庫内に設定されているか判定し、判定された庫内に対応した前記取り出し位置表示手段のみ所定時間表示させることで、購入者に商品の取り出し位置を容易に知らせることができる。
【００１０】
請求項２に記載の発明は、特に第１の発明に、前記取り出し位置表示手段により表示する時間を設定することができる表示時間設定手段を備え、前記取り出し位置表示手段が表示する時間を自由に設定することにより、ロケーションに応じた表示時間をオペレーターが自由に設定することができる。
【００１１】
請求項３に記載の発明は、特に第１または第２の発明に、取り出し口扉の開閉を検知する扉開閉検知手段を備え、前記取り出し位置表示手段により表示している時間内に、前記扉開閉検知手段により取り出し口扉の開閉を検知することで、前記取り出し位置表示手段による取り出し位置の表示を終了することにより、購入者が商品を取り出し口より取り出した後の前記取り出し位置表示手段による無駄な表示を終了することができる。
【００１２】
請求項４に記載の発明は、特に第１から３のいずれか一つの発明に、前記取り出し位置表示手段により表示している取り出し位置を記憶する表示位置記憶手段を備え、前記搬出手段により商品を払い出した後に、前記取り出し位置表示手段により取り出し位置を表示している間に、新たな搬出があった場合に、前記表示位置記憶手段に、前記取り出し位置表示手段により表示している取り出し位置を記憶し、新たに搬出を行う商品の取り出し位置を判定し、前記表示位置記憶手段により記憶している取り出し位置と新たな取り出し位置を同時に前記取り出し位置表示手段により表示することにより、購入者が連続して販売を行い、商品の取り出し位置が複数になった場合においても、購入者に商品の取り出し位置を知らせることができる。
【００１３】
請求項５に記載の発明は、特に第４の発明に、前記搬出手段により商品を払い出し、前記取り出し位置表示手段による取り出し位置の表示を終了する際に、前記表示位置記憶手段に前記取り出し位置表示手段により表示している取り出し位置を記憶し、前記扉開閉検知手段により再度取り出し口扉の開が検知された場合に、前記表示位置記憶手段により記憶している取り出し位置を前記取り出し位置表示手段により表示することにより、購入者が商品を取り出し損ねた場合においても、再度取り出し口扉を開けることで購入者に商品の取り出し位置を知らせることができる。
【００１４】
（実施の形態１）
図１は、本発明の実施の形態１における自動販売機の外観を示した斜視図である。図２は、同実施の形態における自動販売機の内側の外観を示した斜視図である。図３は、同実施の形態における自動販売機の機能ブロック図である。図４は、同実施の形態における自動販売機の動作を示すフローチャートである。図１において本発明の実施の形態１の自動販売機１は、本体部２前面にメイン扉部３を有している。
【００１５】
メイン扉部３にサンプル缶４、選択部５、硬貨投入口６、硬貨返却スイッチ７、硬貨返却口８、取り出し部９、取り出し口扉１０、取り出し位置表示手段１１を持つ。自動販売機１は複数の庫内で構成されており、各庫内から搬出された商品は取り出し部９の各庫内に応じた位置に搬出されるため、取り出し位置表示手段１１は取り出し口扉１０付近に、庫内毎に設けられており、ランプなどで表示を行う。
【００１６】
図２において本発明の実施の形態の自動販売機１は、本体部２内にコラム１２、搬出手段１３、庫内仕切板１４、サブ扉１５、シュート１６を持つ。
また、コラム１２はオペレーターが商品の補充を行う際に投入される複数の商品を収納するものであり、コラム１２毎に搬出手段１３が設けられている。搬出手段１３はソレノイドなどである。
【００１７】
また、庫内仕切版１４で庫内が分けられており、各庫内がシュート１６とコラム１２を有している。シュート１６は搬出手段１３により払い出された商品をメイン扉部３に設けられた取り出し部９に滑り落とすものである。また、サブ扉１５はシュート１６の幅に合わした商品通過口１７を有している。
【００１８】
また、庫内仕切板１４及びサブ扉１５により庫内毎に設定された冷却及び加温状態を保持している。
【００１９】
また、販売動作は購入者がサンプル缶４を見て、購入したい商品を決定し、硬貨投入口６に硬貨を投入し、サンプル缶４のしたに設けられた選択部５にて商品を選択するなどの所定の操作を行うことで、選択部５に対応したコラム１２から搬出手段１３により商品を下方に払い出す。払い出された商品はシュート１６を滑り落ち、商品通過口１７を通過して、取り出し部９に払い出される。購入者は取り出し口扉１０を開け、商品を取り出すことができる。
【００２０】
図３において、庫内設定手段１８は各コラム１２がどの庫内にあるかを設定できる。庫内設定記憶手段１９は、庫内設定手段１８により設定された庫内設定を記憶している。取り出し位置表示手段１１は各庫内から搬出される商品の取り出し位置を表示する。演算制御部２４ａは選択部５に対応した商品のコラム１２から搬出手段１３により商品を搬出させる際、搬出する商品のコラム１２が庫内設定記憶手段１９により記憶している庫内設定により、搬出する商品のコラム１２がどの庫内に設定されているかを判定し、判定された庫内に応じた取り出し位置表示手段１１のみ表示させ、所定時間経過後、取り出し位置表示手段１１による取り出し位置の表示を終了させる。
【００２１】
図４において、以上のように構成された自動販売機について、以下その動作を説明する。
【００２２】
演算制御部２４ａは庫内設定手段１８により各コラム１２がどの庫内にあるかを設定し（ＳＴＥＰ１）、庫内設定記憶手段１９に庫内設定手段１８により設定された庫内設定を記憶させる（ＳＴＥＰ２）。演算制御部２４ａはＮ番コラム１２の商品を搬出する際、庫内設定記憶手段１９にて記憶している庫内設定によりＮ番コラム１２がどの庫内に設定されているかを判定し（ＳＴＥＰ３）、Ｎ番コラム１２は庫内Ｍであるので、庫内Ｍ位置の取り出し位置表示手段１１を表示させ（ＳＴＥＰ４）、搬出手段１３によりＮ番コラム１２の商品を搬出する（ＳＴＥＰ５）。
【００２３】
続いて、取り出し位置表示手段１１による取り出し位置の表示を開始してから所定時間Ｔ１経過したかを判定し（ＳＴＥＰ６）、経過していれば取り出し位置表示手段１１による取り出し位置の表示を終了する（ＳＴＥＰ７）。
【００２４】
以上のように本実施の形態１の自動販売機によれば、搬出手段１３により商品を払い出す際、選択された商品のコラムの庫内設定を記憶している庫内設定記憶手段１９により、選択された商品のコラムがどの庫内に設定されているかを判定することで、判定された庫内に応じた取り出し位置表示手段１１のみを所定時間表示させることで、購入者に商品の取り出し位置を安易に知らせることができる。
【００２５】
（実施の形態２）
図５は、本発明の実施の形態２における自動販売機の機能ブロック図である。図６は、同実施の形態における自動販売機の動作を示すフローチャートである。図５において、表示時間設定手段２０は取り出し位置表示手段１１による表示時間を設定できる。表示時間記憶手段２１は表示時間設定手段２０により設定された表示時間を記憶する。
【００２６】
演算制御部２４ｂは選択部５に対応したコラム１２から搬出手段１３により商品を搬出させる際、搬出する商品のコラム１２が庫内設定記憶手段１９により記憶している庫内設定により、搬出する商品のコラム１２がどの庫内に設定されているかを判定し、判定された庫内に応じた取り出し位置表示手段１１のみ表示させ、表示時間記憶手段２１に記憶している設定時間経過後、取り出し位置表示手段１１による取り出し位置の表示を終了させる。
【００２７】
図６において、以上のように構成された自動販売機について、以下その動作を説明する。但し、ＳＴＥＰ１，２については図４を用いて説明する。
【００２８】
演算制御部２４ｂは庫内設定手段１８により各コラム１２がどの庫内にあるかを設定し（ＳＴＥＰ１）、庫内設定記憶手段１９に庫内設定手段１８により設定された庫内設定を記憶させる（ＳＴＥＰ２）。そして、演算制御部２４ｂは表示時間設定手段２０により取り出し位置表示手段１１による表示時間を設定し（ＳＴＥＰ３）、表示時間記憶手段２１に表示時間設定手段２０により設定された表示時間を記憶させる（ＳＴＥＰ４）。演算制御部２４ｂはＮ番コラム１２の商品を搬出する際、庫内設定記憶手段１９にて記憶している庫内設定によりＮ番コラム１２がどの庫内に設定されているかを判定し（ＳＴＥＰ５）、Ｎ番コラム１２は庫内Ｍであるので、庫内Ｍ位置の取り出し位置表示手段１１を表示させ（ＳＴＥＰ６）、搬出手段１３によりＮ番コラム１２の商品を搬出する（ＳＴＥＰ７）。
【００２９】
続いて、取り出し位置表示手段１１による取り出し位置の表示を開始してから、表示時間記憶手段２１にて記憶している設定時間Ｔ２経過したかを判定し（ＳＴＥＰ８）、経過していれば取り出し位置表示手段１１による取り出し位置の表示を終了させる（ＳＴＥＰ９）。
【００３０】
以上のように本実施の形態２の自動販売機によれば、表示時間設定手段２０により、取り出し位置表示手段１１による取り出し位置の表示を行う時間を自由に設定できることで、病院などの体の不自由な購入者が多い場所などには長い表示時間を設定するなどロケーションに応じた設定をオペレーターが自由に設定することができる。
【００３１】
（実施の形態３）
図７は、本発明の実施の形態３における自動販売機の機能ブロック図である。図８は、同実施の形態における自動販売機の動作を示すフローチャートである。
【００３２】
図７において、扉開閉検知手段２２は取り出し口扉１０の開閉を検知する。演算制御部２４ｃは選択部５に対応したコラム１２から搬出手段１３により商品を搬出させる際、搬出する商品のコラム１２が庫内設定記憶手段１９により記憶している庫内設定により、搬出する商品のコラム１２がどの庫内に設定されているかを判定し、判定された庫内に応じた取り出し位置表示手段１１により取り出し位置の表示を行っている所定時間内に扉開閉検知手段２２により取り出し口扉１０の開閉が検知された場合に、取り出し位置表示手段１１による取り出し位置の表示を終了させる。
【００３３】
図８において、以上のように構成された自動販売機について、以下その動作を説明する。また、ＳＴＥＰ１，２については図４を用いて説明する。
【００３４】
演算制御部２４ｃは庫内設定手段１８により各コラム１２がどの庫内にあるかを設定し（ＳＴＥＰ１）、演算制御部２４ｃは庫内設定記憶手段１９に庫内設定手段１８により設定された庫内設定を記憶させる（ＳＴＥＰ２）。演算制御部２４ｃはＮ番コラム１２の商品を搬出する際、庫内設定記憶手段１９にて記憶している庫内設定によりＮ番コラム１２がどの庫内に設定されているかを判定し（ＳＴＥＰ３）、Ｎ番コラム１２が庫内Ｍであるので、庫内Ｍ位置の取り出し位置表示手段１１を表示させ（ＳＴＥＰ４）、搬出手段１３によりＮ番コラム１２の商品を搬出する（ＳＴＥＰ５）。
【００３５】
続いて、取り出し位置表示手段１１による取り出し位置の表示を開始してから所定時間Ｔ１経過したかを判定し（ＳＴＥＰ６）、経過していなければ扉開閉検知手段２２により取り出し口扉１０の開閉を検知したかを判定し（ＳＴＥＰ７）、検知していなければ、ＳＴＥＰ６に戻る。所定時間Ｔ１経過したか、扉開閉検知手段２２により取り出し口扉１０の開閉を検知していれば、取り出し位置表示手段１１による取り出し位置の表示を終了させる（ＳＴＥＰ８）。
【００３６】
以上のように本実施の形態３の自動販売機によれば、取り出し位置表示手段１１が表示している所定時間の間に扉開閉検知手段２２により扉の開閉を検知することで、購入者が商品を取り出した後の無駄な表示をなくすことができる。
【００３７】
（実施の形態４）
図９は、本発明の実施の形態４における自動販売機の機能ブロック図である。図１０は、同実施の形態における自動販売機の動作を示すフローチャートである。図９において、表示位置記憶手段２３は取り出し位置表示手段１１により表示を行っている商品の取り出し位置を記憶する。演算制御部２４ｄは選択部５に対応したコラム１２から搬出手段１３により商品を搬出させる際、搬出する商品のコラム１２が庫内設定記憶手段１９により記憶している庫内設定により、搬出する商品のコラム１２がどの庫内に設定されているかを判定し、判定された庫内に応じた取り出し位置表示手段１１により取り出し位置の表示を行っている所定時間内に、新たな搬出があった場合、表示位置記憶手段２３に取り出し位置表示手段１１により取り出し位置の表示を行っている商品の取り出し位置を記憶させ、新たに搬出する商品のコラム１２を判定し、新たに搬出する商品の取り出し位置と表示位置記憶手段２３にて記憶している商品の取り出し位置を表示させる。
【００３８】
図１０において、以上のように構成された自動販売機について、以下その動作を説明する。また、ＳＴＥＰ１，２については図４を用いて説明する。
【００３９】
演算制御部２４ｄは庫内設定手段１８により各コラム１２がどの庫内にあるかを設定し（ＳＴＥＰ１）、庫内設定記憶手段１９に庫内設定手段１８により設定された庫内設定を記憶させる（ＳＴＥＰ２）。演算制御部２４ｄはＮ番コラム１２の商品を搬出する際、庫内設定記憶手段１９にて記憶している庫内設定によりＮ番コラム１２がどの庫内に設定されているかを判定し（ＳＴＥＰ３）、Ｎ番コラム１２が庫内Ｍであるので、庫内Ｍ位置の取り出し位置表示手段１１を表示させ（ＳＴＥＰ４）、搬出手段１３によりＮ番コラム１２の商品を搬出する（ＳＴＥＰ５）。
【００４０】
続いて、取り出し位置表示手段１１による取り出し位置の表示を開始してから所定時間Ｔ１経過したかを判定し（ＳＴＥＰ６）、経過していなければ、新たな搬出があったかを判定し（ＳＴＥＰ７）、新たな搬出があれば、表示位置記憶手段２３に取り出し位置表示手段１１により表示を行っている庫内Ｍ位置を記憶させ（ＳＴＥＰ８）、ＳＴＥＰ３に戻り、庫内設定記憶手段１９にて記憶している庫内設定により新たに搬出する商品のコラム１２がどの庫内に設定されているかを判定し（ＳＴＥＰ３）、表示位置記憶手段２３にて記憶している庫内Ｍ位置と新たに判定された商品の取り出し位置を表示させ（ＳＴＥＰ４）、搬出手段１３により新たに搬出する商品のコラム１２を搬出する（ＳＴＥＰ５）。続いて、取り出し位置表示手段１１による取り出し位置の表示を開始してから所定時間Ｔ１経過したかを判定し（ＳＴＥＰ６）、経過していなければ、新たな搬出があったかを判定する（ＳＴＥＰ７）。
【００４１】
新たに搬出がなく、所定時間Ｔ１経過した場合（ＳＴＥＰ６）に取り出し位置表示手段１１による取り出し位置の表示を終了させる（ＳＴＥＰ９）。
【００４２】
以上のように本実施の形態４の自動販売機によれば、取り出し位置表示手段１１が表示している所定時間の間に、連続して搬出がなされた場合においても、表示位置記憶手段２３に記憶している商品の取り出し位置を取り出し位置表示手段１１により表示することで、複数の取り出し位置を同時に表示することができ、商品を取り出す位置が複数になった場合でも購入者に商品の取り出し位置を知らせることができる。
【００４３】
（実施の形態５）
図１１は、本発明の実施の形態５における自動販売機の機能ブロック図である。図１２は、同実施の形態における自動販売機の動作を示すフローチャートである。図１１において、演算制御部２４ｅは選択部５に対応したコラム１２から搬出手段１３により商品を搬出させる際、搬出する商品のコラム１２が庫内設定記憶手段１９により記憶している庫内設定により、搬出する商品のコラム１２がどの庫内に設定されているかを判定し、判定された庫内に応じた取り出し位置表示手段１１により取り出し位置の表示を開始し、所定時間経過したか、扉開閉検知手段２２により取り出し口扉１０の開閉が検知された場合に、表示位置記憶手段２３に取り出し位置表示手段１１により表示を行っている取り出し位置を記憶し、取り出し位置表示手段１１による取り出し位置の表示を終了する。
【００４４】
その後、再度扉開閉検知手段２２により取り出し口扉１０の開が検知された場合には表示位置記憶手段２３に表示位置記憶手段２３により記憶している取り出し位置を取り出し位置表示手段１１により表示させる。
【００４５】
図１２において、以上のように構成された自動販売機について、以下その動作を説明する。また、ＳＴＥＰ１，２については図４を用いて説明する。
演算制御部２４ｅは庫内設定手段１８により各コラム１２がどの庫内にあるかを設定し（ＳＴＥＰ１）、庫内設定記憶手段１９に庫内設定手段１８により設定された庫内設定を記憶させる（ＳＴＥＰ２）。演算制御部２４ｅはＮ番コラム１２の商品を搬出する際、庫内設定記憶手段１９にて記憶している庫内設定によりＮ番コラム１２がどの庫内に設定されているかを判定し（ＳＴＥＰ３）、Ｎ番コラム１２が庫内Ｍであるので、庫内Ｍ位置の取り出し位置表示手段１１を表示させ（ＳＴＥＰ４）、搬出手段１３によりＮ番コラム１２の商品を搬出する（ＳＴＥＰ５）。
【００４６】
続いて、取り出し位置表示手段１１による取り出し位置の表示を開始してから所定時間Ｔ１経過したかを判定し（ＳＴＥＰ６）、経過していなければ扉開閉検知手段２２により取り出し口扉１０の開閉を検知したかを判定し（ＳＴＥＰ７）、検知していなければ、ＳＴＥＰ６に戻る。所定時間Ｔ１経過したか、扉開閉検知手段２２により取り出し口扉１０の開閉を検知した場合に表示位置記憶手段２３に取り出し位置表示手段１１により表示している庫内Ｍ位置を記憶させ（ＳＴＥＰ８）、取り出し位置表示手段１１による取り出し位置の表示を終了させる（ＳＴＥＰ９）。
【００４７】
搬出を受けていない待機状態において、扉開閉検知手段２２により取り出し口扉１０の開を検知したかを判定し（ＳＴＥＰ１０）、検知していなければ、なにもせず終了する。検知していれば、表示位置記憶手段２３により記憶している庫内Ｍ位置を表示させ（ＳＴＥＰ１１）、取り出し位置表示手段１１による取り出し位置の表示を開始してから所定時間Ｔ１経過したかを判定し（ＳＴＥＰ１２）、経過していなければ扉開閉検知手段２２により取り出し口扉１０の閉を検知したかを判定し（ＳＴＥＰ１３）、検知していなければ、ＳＴＥＰ１２に戻る。所定時間Ｔ１経過するか、所定時間Ｔ１内に扉開閉検知手段２２により取り出し口扉１０の閉を検知した場合に取り出し位置表示手段１１による取り出し位置の表示を終了させる（ＳＴＥＰ１４）。
【００４８】
以上のように本実施の形態５の自動販売機によれば、搬出手段１３により商品を払い出し、扉開閉検知手段２２により取り出し口扉１０の開閉が検知された後に、再度取り出し口扉１０の開が検知された場合に表示位置記憶手段２３にて記憶している取り出し位置を取り出し位置表示手段１１により表示することで、購入者が商品を取り出し損ねた場合においても、再度取り出し口扉１０を開けることで商品の取り出し位置を知らせることができる。
【産業上の利用可能性】
【００４９】
以上のように、本発明にかかる自動販売機は、コラムがどの庫内にあるかの設定を設け、搬出する商品のコラムがどの庫内であるか判定し、判定された庫内に応じた表示のみ表示することにより、購入者に商品の取り出し位置を容易に知らせることができる自動販売機を提供する。
【図面の簡単な説明】
【００５０】
【図１】本発明の実施の形態１における自動販売機の外観を示した斜視図
【図２】同実施の形態における自動販売機の内側の外観を示した斜視図
【図３】同実施の形態における自動販売機の機能ブロック図
【図４】同実施の形態における自動販売機の動作を示すフローチャート
【図５】本発明の実施の形態２における自動販売機の機能ブロック図
【図６】同実施の形態における自動販売機の動作を示すフローチャート
【図７】本発明の実施の形態３における自動販売機の機能ブロック図
【図８】同実施の形態における自動販売機の動作を示すフローチャート
【図９】本発明の実施の形態４における自動販売機の機能ブロック図
【図１０】同実施の形態における自動販売機の動作を示すフローチャート
【図１１】本発明の実施の形態５における自動販売機の機能ブロック図
【図１２】同実施の形態における自動販売機の動作を示すフローチャート
【符号の説明】
【００５１】
１    自動販売機
２    本体部
３    メイン扉部
４    サンプル缶
５    選択部
６    硬貨投入口
７    硬貨返却スイッチ
８    硬貨返却口
９    取り出し部
１０  取り出し口扉
１１  取り出し位置表示手段
１２  コラム
１３  搬出手段
１４  庫内仕切版
１５  サブ扉
１６  シュート
１７  商品通過口
１８  庫内設定手段
１９  庫内設定記憶手段
２０  表示時間設定手段
２１  表示時間記憶手段
２２  扉開閉検知手段
２３  表示位置記憶手段
２４ａ，２４ｂ，２４ｃ，２４ｄ，２４ｅ  演算制御部
【図１】
2006285431.tif 000003
【図２】
2006285431.tif 000004
【図３】
2006285431.tif 000005
【図４】
2006285431.tif 000006
【図５】
2006285431.tif 000007
【図６】
2006285431.tif 000008
【図７】
2006285431.tif 000009
【図８】
2006285431.tif 000010
【図９】
2006285431.tif 000011
【図１０】
2006285431.tif 000012
【図１１】
2006285431.tif 000013
【図１２】
2006285431.tif 000014